(57)【要約】【課題】被介護者が自分で勝手に脱衣してしまうことを防止しつつ、着用時においては、体を十分に動かすことができ、着替え時においては、容易に着脱させることができる介護用つなぎ服を提供する。【解決手段】介護用つなぎ服１は、肩部２０から裾部２２、２４に亘る前面を形成する前身頃部と、肩部２０から裾部２２、２４に亘る背面を形成する後身頃部１４と、袖を形成する袖部１６と、襟を形成する襟部１８とを形成する複数の生地が縫合されることにより、上下一体に形成されている。後身頃１４の肩部２０からでん部２１までを構成する上部分１４ａは、伸縮性を有する生地から形成され、他の部分は、伸縮性をほとんど有しない生地から形成されている。【選択図】図２
0003162589.tif 000002
【実用新案登録請求の範囲】
【請求項１】
被介護者が着用する上下一体に形成された介護用つなぎ服であって、
後身頃の肩部からでん部までの部分が、他の部分よりも伸縮性を有する生地から形成されている
ことを特徴とする介護用つなぎ服。
【請求項２】
前記後身頃の肩部からでん部までの部分の生地は、他の部分の生地よりも伸縮可能な織り方により形成されている
ことを特徴とする請求項１記載の介護用つなぎ服。
【請求項３】
前記後身頃の肩部からでん部までの部分は、通気性を有する生地により形成されていることを特徴とする請求項１又は２記載の介護用つなぎ服。
【考案の詳細な説明】
【技術分野】
【０００１】
本考案は、被介護者が着用する上下一体に形成された介護用つなぎ服に関するものである。
【背景技術】
【０００２】
従来から、痴呆症などの症状を有する被介護者が自分で勝手に脱衣してしまうことを防止するため、上下一体に形成された介護用つなぎ服が用いられている（特許文献１及び特許文献２参照）。このような従来の介護用つなぎ服は、伸縮性を有する生地により形成してしまうと、生地の伸縮により被介護者が腕を袖から抜いて襟部分の開口から出したりすることが可能となり、勝手に脱衣してしまうおそれがあるので、伸縮性をほとんど有しない生地により形成されている。
【先行技術文献】
【特許文献】
【０００３】
【特許文献１】特開２００４−２６３３２７号公報
【特許文献２】特開２００５−２９９４９号公報
【考案の概要】
【考案が解決しようとする課題】
【０００４】
しかしながら、このような従来の介護用つなぎ服では、ほとんど伸縮しないため、着用時に被介護者が体を十分に動かすことができず、また、着替えの際に着脱させにくく、介護者に負担を生じさせるものである。
【０００５】
そこで、本考案は、被介護者が自分で勝手に脱衣してしまうことを防止しつつ、着用時においては、体を十分に動かすことができ、着替え時においては、容易に着脱させることができる介護用つなぎ服を提供することを目的とする。
【課題を解決するための手段】
【０００６】
以上の目的を達成するため、本考案に係る介護用つなぎ服は、被介護者が着用する上下一体に形成された介護用つなぎ服であって、後身頃の肩部からでん部までの部分が、他の部分よりも伸縮性を有する生地から形成されていることを特徴とする。
【０００７】
このように、本考案に係る介護用つなぎ服は、後身頃の肩部からでん部までの部分が、他の部分よりも伸縮性を有する生地から形成されることにより、着用時においては、体を十分に動かすことができ、着替え時においては、着脱させ易いものとすることができる。また、後身頃の肩部からでん部までの部分以外の部分については、後身頃の肩部からでん部までの部分よりも伸縮しない生地により形成されているため、被介護者が腕を袖から抜いて襟部分の開口から出して勝手に脱衣したり、襟部分の開口や裾部の開口から手を突っ込んだりすることを防止することができる。
【０００８】
本考案に係る介護用つなぎ服において、身頃とは、つなぎ服の袖部分及び襟部分を除いた、肩部から裾部に亘る前面及び背面を覆う部分をいい、後身頃とは、身頃のうち背面の部分をいい、前身頃とは、身頃のうち前面の部分をいうものとする。また、後身頃の肩部からでん部までの部分とは、後身頃の上端からでん部と脚との境界部分までの部分をいい、他の部分、すなわち後身頃の肩部からでん部までの部分以外の部分とは、襟部分、袖部分、前身頃、及び後身頃のでん部と脚との境界部分から裾部までの部分をいうものとする。
【０００９】
本考案に係る介護用つなぎ服において、前記後身頃の肩部からでん部までの部分の生地は、他の部分の生地よりも伸縮可能な織り方により形成されていることが好ましく、また、前記後身頃の肩部からでん部までの部分は、通気性を有する生地により形成されていることが好ましい。このように、後身頃の肩部からでん部までの部分が、通気性を有する生地により形成されることにより、より快適な介護用つなぎ服とすることができる。
【考案の効果】
【００１０】
以上のように、本考案によれば、被介護者が自分で勝手に脱衣してしまうことを防止しつつ、着用時においては、体を十分に動かすことができ、着替え時においては、容易に着脱させることができる介護用つなぎ服を提供することができる。
【図面の簡単な説明】
【００１１】
【図１】本考案の一実施形態に係る介護用つなぎ服を示す正面図である。
【図２】本実施形態に係る介護用つなぎ服を示す背面図である。
【考案を実施するための形態】
【００１２】
次に、本考案の一実施形態に係る介護用つなぎ服について、図面に基づいて説明する。本実施形態に係る介護用つなぎ服１は、図１及び図２に示すように、肩部２０から裾部２２、２４に亘る前面を形成する前身頃部１２と、肩部２０から裾部２２、２４に亘る背面を形成する後身頃部１４と、袖を形成する袖部１６と、襟を形成する襟部１８とを形成する複数の生地が縫合されることにより、上下一体に形成されている。
【００１３】
後身頃部１４は、後身頃部１４のうち、肩部２０からでん部２１と脚との境界部分２１ａまでを構成する上部分１４ａと、でん部２１と脚との境界部分２１ａから裾部２２、２４までを構成する下部分１４ｂとから構成されている。この後身頃１４の上部分１４ａは、伸縮性及び通気性を有する生地から形成され、下部分１４ｂは、伸縮性をほとんど有しない生地から形成されている。この上部分１４ａの生地は、メリヤス編みなどの伸縮可能な織り方により形成されている。また、上部分１４ａの生地の伸縮性は、被介護者の体の動きに合わせて伸縮可能な程度に設定されている。
【００１４】
前身頃部１２、袖部１６及び襟部１８は、伸縮性をほとんど有しない生地から形成されている。この袖部１６は、被介護者の手首までを覆う丈を有している。袖部１６の袖口及び襟部分１８の開口は、被介護者が介護用つなぎ服１を着用した際に、これらの開口の隙間から被介護者が手を突っ込むことができない程度に設定されている。
【００１５】
前身頃部１２及び後身頃部１４は、被介護者の肩から足首までを覆う丈を有している。これら前身頃部１２及び後身頃部１４が縫合されることにより形成される両脚の裾部２２、２４の開口は、被介護者が介護用つなぎ服１を着用した際に、この開口の隙間から被介護者が手を突っ込むことができない程度に設定されている。また、前身頃部１２及び後身頃部１４の腰部分には、胴回りを収縮させるゴム３４が設けられており、これにより、被介護者が介護用つなぎ服１を着用した際における腰部分の生地のたるみを低減させるように構成されている。
【００１６】
前身頃部１２には、襟部分１８近傍から右脚の裾部２２に亘って、開閉可能な線状の正面ファスナ３０が設けられている。この正面ファスナ３０は、開かれることにより前身頃１２を左右に分断させ、介護用つなぎ服１の被介護者に対する着脱を可能にするように構成されている。また、前身頃部１２の股部分には、右脚の裾部２２から左脚の裾部２４に亘って、開閉可能な線状の脚部ファスナ３２が設けられている。このファスナ脚部３２は、開かれることにより介護用つなぎ服１の股部分を開口させ、オムツなどの交換を可能にするように構成されている。
【００１７】
これら正面ファスナ３０及び脚部ファスナ３２の閉め止まり位置には、スライダ部分（図示せず）を隠すことができるスライダ隠し（図示せず）と、持ち出しとして機能し、かつスライダ部分（図示せず）が被介護者に直接接触することを防止する裏当て（図示せず）とが設けられている。これら正面ファスナ３０及び脚部ファスナ３２のスライダ部分は、スライダ部分の引手（図示せず）が取り外された状態では、ファスナを開く方向への移動が規制されるようなっており、これにより、被介護者による勝手なファスナの開放を防止するように構成されている。
【００１８】
従来の介護用つなぎ服は、ほとんど伸縮しない生地により形成されているので、着用時に被介護者が体を十分に動かすことができず、また、着替えの際に着脱させにくく、介護者に負担を生じさせるものである。また、伸縮性を有する生地により形成された介護用つなぎ服は、生地の伸縮により被介護者が腕を袖から抜いて襟部分の開口から出したりすることが可能となり、勝手に脱衣してしまうおそれがある。
【００１９】
本実施形態に係る介護用つなぎ服１によれば、後身頃１４の上部分１４ａが、前身頃１２、袖部１６及び襟部１８よりも伸縮性を有する生地により形成されているため、着用時においては、上部分１４ａが伸縮して窮屈感や着心地の悪さを解消し、動き易いものとすることができる。また、正面ファスナ３０を開放させた着替え時においては、上部分１４ａが伸縮することにより、袖部１６に対する被介護者の腕の挿脱が容易になるため、着脱させ易いものとすることができる。さらに、後身頃１４の上部分１４ａ以外の部分、すなわち、後身頃１４の下部分１４ｂ、前身頃部１２、袖部１６及び襟部１８が、後身頃１４の上部分１４ａよりも伸縮しない生地により形成されているため、被介護者が腕を袖部１６から抜いて襟部１８の開口から出して勝手に脱衣したり、襟部１８の開口や裾部２２、２４の開口から手を突っ込んだりすることを防止することができる。
【００２０】
また、本実施形態に係る介護用つなぎ服１は、後身頃１４の上部分１４ａの生地が、メリヤス編みなどの伸縮可能な織り方により形成されているため、伸縮性のみならず通気性も付与することができ、より快適なものとすることができる。
【００２１】
本考案に係る介護用つなぎ服は、上述した実施形態に限定されるものではなく、本考案の技術思想を逸脱しない範囲内において種々の改変を行なうことができる。例えば、本実施形態に係る介護用つなぎ服１において、後身頃１４の上部分１４ａの生地は、メリヤス編みなどの伸縮可能な織り方により形成されているとしたが、これに限定されず、後身頃１４の上部分１４ａの生地は、例えば、前身頃１２、袖部１６及び襟部１８を形成する生地よりも伸縮性を有する素材により形成されるとしても良い。
【００２２】
また、本実施形態に係る介護用つなぎ服１において、後身頃１４の上部分１４ａは、伸縮性及び通気性を有する生地から形成されるとしたが、これに限定されず、少なくとも伸縮性を有する生地から形成されていれば良い。
【符号の説明】
【００２３】
１  介護用つなぎ服、１２  前身頃、１４  後身頃、１４ａ  後身頃の上部分、１４ｂ  後身頃の下部分、１６  袖部、１８  襟部
【図１】
0003162589.tif 000003
【図２】
0003162589.tif 000004